(57)【要約】【課題】ナットと別体の循環部品でボール戻し経路が形成され、循環部品がナットにリベットで固定されているボールねじであって、リベットの加締め状態を改善する。【解決手段】リターンチューブ４を、取付部品５を介してリベット６でナット１に固定する。ナット１の内周面のリベット挿通穴１４の周囲に、ナット１の軸線Ｃに平行な平面部１５を設ける。加締め工程で、リベット６の先端を平面部１５を座面として塑性変形させる。【選択図】図１
2014055644.tif 000002
【特許請求の範囲】
【請求項１】
内周面に螺旋溝が形成されたナットと、外周面に螺旋溝が形成されたねじ軸と、ナットの螺旋溝とねじ軸の螺旋溝で形成される軌道の間に配置されたボールと、ボールを軌道の終点から始点に戻すボール戻し経路とを備え、前記軌道内をボールが転動することで前記ナットがねじ軸に対して相対移動するボールねじであって、
前記ボール戻し経路は前記ナットと別体の循環部品で形成され、前記循環部品が前記ナットにリベットで固定され、
前記ナットの内周面のリベット挿通穴の周囲に、前記ナットの軸線方向に平行な平面部が形成され、
前記リベットが前記平面部を座面として固定されているボールねじ。
【請求項２】
内周面に螺旋溝が形成されたナットと、外周面に螺旋溝が形成されたねじ軸と、ナットの螺旋溝とねじ軸の螺旋溝で形成される軌道の間に配置されたボールと、ボールを軌道の終点から始点に戻すボール戻し経路とを備え、前記軌道内をボールが転動することで前記ナットがねじ軸に対して相対移動するボールねじであって、
前記ボール戻し経路は前記ナットと別体の循環部品で形成され、前記循環部品が取付部品を介して前記ナットにリベットで固定され、
前記ナットの外周面に、前記ナットの軸線方向に平行な外側平坦面が形成され、
前記取付部品は、前記外側平坦面に接触させる板状の取付部を有し、
前記取付部は、前記ナットの外側平坦面に形成されたリベット挿通穴と合わせてリベットを挿通するリベット挿通穴を有し、
前記ナットの内周面の前記リベット挿通穴の周囲に、前記外側平坦面と平行な平面部が形成され、
前記取付部および前記外側平坦面のリベット挿通穴を挿通し、前記平面部および前記外側平坦面を座面として塑性変形されたリベットにより、前記取付部が前記ナットに固定されているボールねじ。
【請求項３】
前記ナットのリベット挿通穴は、前記ナットの内周面で前記螺旋溝の延長線上に形成されている請求項１または２記載のボールねじ。
【発明の詳細な説明】
【技術分野】
【０００１】
この発明は、ナットと別体の循環部品でボール戻し経路が形成されているボールねじに関する。
【背景技術】
【０００２】
ボールねじは、内周面に螺旋溝が形成されたナットと、外周面に螺旋溝が形成されたねじ軸と、ナットの螺旋溝とねじ軸の螺旋溝で形成される軌道の間に配置されたボールと、ボールを軌道の終点から始点に戻すボール戻し経路とを備え、前記軌道内をボールが転動することで前記ナットがねじ軸に対して相対移動する装置である。前記ボールねじ戻し経路は、通常、ナットと別体の循環部品がナットに固定されることで形成されている。
【０００３】
循環部品としては、リターンチューブとコマがある。リターンチューブの場合は、リターンチューブの胴部を配置するための外側平坦面をナット外周面に設け、外側平坦面に接触させる板状の取付部を有する取付部品を使用して、リターンチューブをねじ止めでナットの外側平坦面に固定することが行われている。コマの場合には、ナットにコマ孔を形成し、コマ孔にコマを嵌合させて加締めることにより、ナットに固定することが行われている。
これに対して、特許文献１および２には、ナットの外側平坦面と取付部品の板状の取付部にリベット挿通穴を設け、リターンチューブをリベットで固定することが提案されている。特許文献３には、循環部品をナットに固定するリベットの先端部（加締め部）を、ナットの雌ねじ溝内に配置することが提案されている。
【先行技術文献】
【特許文献】
【０００４】
【特許文献１】特開２０１０−６０１００号公報
【特許文献２】特許第４９５７３８７号公報
【特許文献３】特許第４７７５６２９号公報
【発明の概要】
【発明が解決しようとする課題】
【０００５】
しかし、特許文献１〜３に記載されたボールねじには、循環部品をナットにリベットで固定する際に、リベットの加締め状態を良好にするという点で改善の余地がある。
この発明の課題は、ナットと別体の循環部品でボール戻し経路が形成され、循環部品がナットにリベットで固定されているボールねじにおいて、リベットの加締め状態を改善することである。
【課題を解決するための手段】
【０００６】
上記課題を解決するために、この発明の第一態様に係るボールねじは、下記の構成(1) 〜(3) を有することを特徴とする。
(1) 内周面に螺旋溝が形成されたナットと、外周面に螺旋溝が形成されたねじ軸と、ナットの螺旋溝とねじ軸の螺旋溝で形成される軌道の間に配置されたボールと、ボールを軌道の終点から始点に戻すボール戻し経路とを備え、前記軌道内をボールが転動することで前記ナットがねじ軸に対して相対移動するボールねじである。
(2) 前記ボール戻し経路は前記ナットと別体の循環部品で形成され、前記循環部品が前記ナットにリベットで固定されている。
【０００７】
(3) 前記ナットの内周面のリベット挿通穴の周囲に、前記ナットの軸線方向に平行な平面部が形成され、前記リベットが前記平面部を座面として固定されている。
この発明の第二態様に係るボールねじは、上記構成(1) と下記の構成(4) 〜(8) を有することを特徴とする。
(4) 前記ボール戻し経路は前記ナットと別体の循環部品で形成され、前記循環部品が取付部品を介して前記ナットにリベットで固定されている。
【０００８】
(5) 前記ナットの外周面に、前記ナットの軸線方向に平行な外側平坦面が形成されている。
(6) 前記取付部品は、前記外側平坦面に接触させる板状の取付部を有し、前記取付部は、前記外側平坦面に形成されたリベット挿通穴と合わせてリベットを挿通するリベット挿通穴を有する。
(7) 前記ナットの内周面の前記リベット挿通穴の周囲に、前記外側平坦面と平行な平面部が形成されている。
【０００９】
(8) 前記取付部および前記外側平坦面のリベット挿通穴を挿通し、前記平面部および前記外側平坦面を座面として塑性変形されたリベットにより、前記取付部が前記ナットに固定されている。
前記第一態様および第二態様に係るボールねじは、下記の構成(9) を有することが好ましい。
(9) 前記ナットのリベット挿通穴は、前記ナットの内周面で前記螺旋溝の延長線上に形成されている。
【発明の効果】
【００１０】
この発明によれば、ナットと別体の循環部品でボール戻し経路が形成され、循環部品がナットにリベットで固定されているボールねじにおいて、リベットの加締め状態が改善される。
【図面の簡単な説明】
【００１１】
【図１】実施形態のボールねじを示す断面図である。
【図２】図１のボールねじを構成するナットの外側平坦面側を示す斜視図である。
【図３】図１のボールねじを構成するナットの内周面側を示す斜視図である。
【図４】図３のＡ−Ａ断面図であって、リベット挿通穴のナットの内周面における位置を説明する図である。
【図５】図１のボールねじを構成するナットにリターンチューブが固定された状態を示す斜視図である。
【発明を実施するための形態】
【００１２】
以下、この発明の実施形態について説明するが、この発明はこの実施形態に限定されない。
図１のボールねじは、内周面に螺旋溝１１が形成されたナット１と、外周面に螺旋溝２１が形成されたねじ軸２と、ボール３と、リターンチューブ（循環部品）４と、取付部品５と、リベット６で構成されている。ボール３は、ナット１の螺旋溝１１とねじ軸２の螺旋溝２１で形成される軌道の間と、リターンチューブ４により形成されたボール戻し経路内に配置されている。
【００１３】
図２および３に示すように、ナット１は略円筒状であり、円筒の外周面の一部に、軸方向全体に延びる平坦面（外側平坦面）１２を有する。図１に示すように、外側平坦面１２はナット１の軸線Ｃに平行である。ナット１の外側平坦面１２には、図２に示すように、リターンチューブ４の脚部を挿入する一対のチューブ挿通穴１３と、リベット６を挿通する一対のリベット挿通穴１４が形成されている。リターンチューブ４の脚部は、ボール３を掬い上げて、ボール戻し経路（リターンチューブ４の内部）へ導く掬い上げ部の機能を有する。
【００１４】
図３および４に示すように、ナット１の内周面のリベット挿通穴１４の周囲に、外側平坦面１２と平行な平面部１５が形成されている。平面部１５とナット１の内周面（円弧面）との間に、曲面（円弧面）である内周面から平面部１５に向かう湾曲面１６が形成されている。
図４には、螺旋溝１１の延長線が二点鎖線で記載され、延長線を含めた螺旋溝１１の中心線が一点鎖線で記載されている。この図に示すように、リベット挿通穴１４のナット１の内周面における位置は、螺旋溝１１の延長線上である。
【００１５】
図１および５に示すように、取付部品５は、ナット１の外側平坦面１２に接触させる一対の取付部５１と、両取付部５１に連続してリターンチューブ４の胴部を覆う本体部５２とからなる。取付部５１に、ナット１のリベット挿通穴１４と合うリベット挿通穴５１ａが形成されている。この取付部品５は、金属板を打ち抜き加工した後に曲げ加工する方法等にて製造されたものである。
リベット６は、頭部が平円板状で軸部の先端が中空になっている平型頭部付き中空リベットである。
【００１６】
この実施形態のボールねじにおいて、取付部品５とリベット６を用いたリターンチューブ４のナット１への取付は、例えば以下のようにして行う。
先ず、ナット１の内部に、加締め装置に固定された受け部を挿入し、この受け部をナット１の平面部１５と対向させる。次に、リターンチューブ４の脚部をナット１の外側平坦面１２のチューブ挿通穴１３に挿入し、リターンチューブ４の胴部に取付部品５の本体部５２を被せて、取付部５１のリベット挿通穴５１ａからナット１のリベット挿通穴１４にリベット６を挿通する。次に、加締め装置を駆動し、ナット１の平面部１５を座面として、リベット６の中空の先端部を塑性変形させる。
【００１７】
この実施形態のボールねじによれば、ナット１の内周面のリベット挿通穴１４の周囲にに平面部１５を設けたことで、リベット６の加締め時の座面が確保できるため、このような平面部１５がない場合と比較して、リベット６の加締めを容易に行うことができる。また、リベット６の中空の先端部を安定した形状に塑性変形できるため、リベット６の加締め状態が改善される。さらに、平面部１５と平行な外側平坦面１２もリベット６の座面として作用するため、ナット１が平面部１５のみを有する場合と比較して、リベット６の加締めをより安定的に行うことができる。
【００１８】
また、リベット挿通穴１４がナット１の螺旋溝１１の延長線上に形成されていることにより、ボールねじの駆動時にナット１がねじ軸２に対して相対移動する際に、リベット６の先端部（加締め部）がねじ軸２の螺旋溝２１内を移動する。そのため、リベット６の先端部（加締め部）がねじ軸２と干渉することが防止できる。
なお、この実施形態では、循環部品としてリターンチューブ４を有するボールねじについて説明しているが、循環部品はコマであってもよい。その場合、通常は、ナットに外側平坦面を設けず、取付部品を使用せず、コマに設けたリベット挿通穴とナットのリベット挿通穴を合わせてリベットを挿通し、ナットの内面のリベット挿通穴の周囲に形成した平面部を座面として使用して加締めを行う。
【００１９】
また、循環部品がコマの場合であっても、取付部品を使用してリベットでナットにコマを固定してもよい。その際に、ナットに軸方向の一部に延びる外側平坦面を設け、外側平坦面に取付部品の取付部を接触させ、リベットでナットにコマを取付部品を介して固定してもよい。
【符号の説明】
【００２０】
１  ナット
１１  螺旋溝
１２  平坦面（外側平坦面）
１３  チューブ挿通穴
１４  リベット挿通穴
１５  平面部
１６  湾曲面
２  ねじ軸
２１  螺旋溝
３  ボール
４  リターンチューブ（循環部品）
５  取付部品
５１  取付部
５１ａ  リベット挿通穴
５２  本体部
６  リベット
Ｃ  ナットの軸線
【図１】
2014055644.tif 000003
【図２】
2014055644.tif 000004
【図３】
2014055644.tif 000005
【図４】
2014055644.tif 000006
【図５】
2014055644.tif 000007